(57)【要約】【課題】ラジエータへの走行風の導入を容易化するための走行風導板機能を、ラジエータからの高温気流の巻き返し風を防止する巻返し防止構造に一体に設けることによって、ラジエータ周りの部品点数を削減できるとともにラジエータ周りの構造をコンパクト化できるラジエータ冷却風巻返し防止構造を提供することを課題とする。【解決手段】ラジエータ１３の両側面および上側面を覆うように、シャシフレーム１とシャシフレームに載置されるキャビン３の床面４との間に形成される領域内に設置される巻返し防止本体部３１と、該巻返し防止本体部３１の両側に、前記シャシフレーム１の上面に載置されて車体前方に向って延びて設けられ、車幅内側面に車体前方からの走行風をラジエータ１３の外気取り入れ口３２に導く導風面３５を有した導風部材３３ａ、３３ｂとを備えたことを特徴とする。【選択図】図１
2010149623.tif 000002
【特許請求の範囲】
【請求項１】
車体前後方向に延びる一対のシャシフレームを有し、該シャシフレームの前方にラジエータおよびエンジンを配置し、ラジエータを通過した冷却風がエンジンに当たって巻き返され熱風となって再びラジエータの入り口に戻ることを防止するラジエータ冷却風巻返し防止構造において、
前記ラジエータの両側面および上側面を覆うように、前記シャシフレームと該シャシフレームに載置されるキャビンの床面との間に形成される領域内に設置される巻返し防止本体部と、
該巻返し防止本体部の両側に、前記シャシフレームの上面に載置されて車体前方に向って延びて設けられ、車幅内側面に車体前方からの走行風をラジエータの外気取り入れ口に導く導風面を有した導風部とを備えて構成されることを特徴とするラジエータ冷却風巻返し防止構造。
【請求項２】
前記巻返し防止本体部が両側部分と上側部分との３部材から構成され、前記両側部分に前記導風部が一体に形成されていることを特徴とする請求項１記載のラジエータ冷却風巻返し防止構造。
【請求項３】
前記３部材がウレタン発泡材によって成型されることを特徴とする請求項２記載のラジエータ冷却風巻返し防止構造。
【請求項４】
左右の両側部材に、樹脂製の取付けブラケットがインサートされ、該取付けブラケットによって前記ラジエータの両側面にそれぞれ取り付けられると共に、前記上側部材はラジエータの上面と前記キャビンの床面との間に挟み込まれて保持されることを特徴とする請求項３記載のラジエータ冷却風巻返し防止構造。
【発明の詳細な説明】
【技術分野】
【０００１】
本発明は、車体前後方向に延びる一対のシャシフレームを有し、該シャシフレームの前方にラジエータおよびエンジンを配置し、ラジエータを通過した冷却風がエンジンに当たって巻き返され熱風となって再びラジエータの入り口に戻ることを防止するラジエータ冷却風巻返し防止構造に関する発明である。
【背景技術】
【０００２】
キャブトラック車両においては、車体前後方向に延びる一対のシャシフレームを有し、該シャシフレームの前方にラジエータおよびエンジンを配置し、ラジエータを通過した冷却風がエンジンに当たって巻き返され熱風となって再びラジエータの入り口に戻ることを防止するラジエータ冷却風巻返し防止構造が採用されている。
【０００３】
このラジエータ冷却風巻返し防止構造には、ラジエータを通過した冷却風が、エンジンルーム内からラジエータ前面に巻き返してこないように、ラジエータ上部、左右、下部に冷却風巻返し防止板を設置する構造が知られている。
【０００４】
例えば、特許文献１（実開平６−５５８４２号公報）には、図７に示すように、断面コ字状をなし、その開口部が互いに対向して前後に延びる車体の一対のメインフレーム０１０を有し、これらメインフレーム０１０の間に車体の前方から順にラジエータ０１１、エンジン０１２と配設されるトラック型の車両において、メインフレーム０１０の開口部をラジエータ０１１側から車体前方に向けて塞ぎ、内部に通風路０２０を形成するサイドプレート０１４と、サイドプレート０１４とラジエータ０１１との間に設けられ、前記メインフレーム０１０間の領域をラジエータ０１１の前面側とエンジン０１２側とに仕切るバッフルプレート０１３と、各メインフレーム０１０の外側面にラジエータ０１１よりも前方に位置して形成された通風孔０１０ａとを備えて構成されている。
【０００５】
一方、ラジエータの近傍には、ラジエータへの走行風の導入を容易にさせるために、走行風導板が設けられている。例えば、特許文献２（２００２−３３７５３９号公報）には、図８に示すように、車両に設けられたラジエータと、ラジエータの前方に配置され、且つ車両前方に傾斜するように配置されたコンデンサ０１と、コンデンサ０１の上面前端側及び下面後端側に夫々導風板０８、０７を設け、導風板０８により高温気流の巻き返し風の改善効果を図り、導風板０７によりコンデンサに走行風の導風効果を改善して、コンデンサの放熱能率の向上を図る技術が示されている。
【０００６】
【特許文献１】実開平６−５５８４２号公報
【特許文献２】２００２−３３７５３９号公報
【発明の開示】
【発明が解決しようとする課題】
【０００７】
しかし、前記特許文献１に示される技術においては、メインフレーム０１０の内部に通風路０２０を形成するものであり、構造が複雑化する。またラジエータ０１１への走行風の導入を容易化するための走行風導板の設置については示されていない。
また、前記特許文献２においては、コンデンサへの走行風の導風効果を改善するための導風板０７と、高温気流の巻き返し風の改善効果を図る導風板０８とが設けられているが、それぞれ別々の個所に別部品として取り付けるため、部品点数が増加し取り付け作業および部品コストの増大をもたらす。
【０００８】
そこで、本発明は、このような背景に鑑みてなされたものであり、ラジエータへの走行風の導入を容易化するための走行風導板機能を、ラジエータからの高温気流の巻き返し風を防止する巻返し防止構造に一体に設けることによって、ラジエータ周りの部品点数を削減できるとともにラジエータ周りの構造をコンパクト化できるラジエータ冷却風巻返し防止構造を提供することを課題とする。
【課題を解決するための手段】
【０００９】
前記課題を解決するため、本発明は、車体前後方向に延びる一対のシャシフレームを有し、該シャシフレームの前方にラジエータおよびエンジンを配置し、ラジエータを通過した冷却風がエンジンに当たって巻き返され熱風となって再びラジエータの入り口に戻ることを防止するラジエータ冷却風巻返し防止構造において、前記ラジエータの両側面および上側面を覆うように、前記シャシフレームと該シャシフレームに載置されるキャビンの床面との間に形成される領域内に設置される巻返し防止本体部と、該巻返し防止本体部の両側に、前記シャシフレームの上面に載置されて車体前方に向って延びて設けられ、車幅内側面に車体前方からの走行風をラジエータの外気取り入れ口に導く導風面を有した導風部とを備えて構成されることを特徴とする。
【００１０】
かかる発明によれば、前記ラジエータの両側面および上側面を覆うように、前記シャシフレームと該シャシフレームに載置されるキャビンの床面との間に形成される領域内に設置される巻返し防止本体部の両側に、前記シャシフレームの上面に載置されて車体前方に向って延びて設けられ、車幅内側面に車体前方からの走行風をラジエータの外気取り入れ口に導く導風面を有した導風部とを備えたので、すなわち、ラジエータへの走行風の導入を容易化するための走行風導板機能を、巻き返し風を防止する巻返し防止構造に一体に設けたので、ラジエータ周りの部品点数を削減できるとともにラジエータ周りの構造をコンパクト化でき、軽量化、コスト低減できる。
【００１１】
また、本発明において、好ましくは、前記巻返し防止本体部が両側部分と上側部分との３部材から構成され、前記両側部分に前記導風部が一体に形成されるとよい。
このため、コ字状に形成される巻返し防止本体部の製造型を簡単化でき、巻返し防止本体部の製造が容易化される。さらに、両側部だけを別々に成形することによって、両側部に一体成型される導風部の導風面の形状設定の自由度が増して、導風部の製造が容易となる。
【００１２】
また、本発明において、好ましくは、前記３部材がウレタン発泡材によって成型されるとよく、エンジンルーム内における耐熱性に優れるとともに軽量に構成できる。
【００１３】
また、本発明において、好ましくは、左右の両側部材に、樹脂製の取付けブラケットがインサートされ、該取付けブラケットによって前記ラジエータの両側面にそれぞれ取り付けられると共に、前記上側部材はラジエータの上面と前記キャビンの床面との間に挟み込まれて保持されるとよい。
【００１４】
かかる構成によれば、左右の両側部材はラジエータに樹脂製の取付けブラケットを介してボルト締結される。樹脂製の取付けブラケットであるため、両側部材の一体成型時に取り付けブラケットを一体に成型できるので、製作が容易となる。
また、上側部材はラジエータの上面と前記キャビンの床面との間に挟み込まれて保持されるので、特別な取り付け手段を設けることなく簡単に固定でき、取り付け作業性がよい。
【発明の効果】
【００１５】
本発明によれば、ラジエータへの走行風の導入を容易化するための走行風導板機能を、ラジエータからの高温気流の巻き返し風を防止する巻返し防止構造に一体に設けたことによって、ラジエータ周りの部品点数を削減できるとともにラジエータ周りの構造をコンパクト化できるラジエータ冷却風巻返し防止構造を提供することができる。
【発明を実施するための最良の形態】
【００１６】
以下、図面を参照して本発明の好適な実施の形態を例示的に詳しく説明する。但しこの実施の形態に記載されている構成部品の寸法、材質、形状、その相対的配置等は特に特定的な記載がない限りは、この発明の範囲をそれに限定する趣旨ではなく、単なる説明例に過ぎない。
【００１７】
図１〜図６を参照して、本発明のラジエータ冷却風巻返し防止構造について説明する。
図１は車体前方部の斜視図であり、図１のＡ−Ａ線の一部断面図を図２に示し、図１のＢ−Ｂ線の一部断面図を図３に示す。
大型トラック等の車体構造は、左右に車体前後に延びる断面コ字状のシャシフレーム１を骨格として備え、その前方側は、乗員用のキャビン３およびその下方にエンジン５が配置され、後方側に図示しない荷箱が配置される。
【００１８】
図２に示すように、車体前方にフロントグリル７、その下方に、フロントバンパ９が設けられ、また、左右のシャシフレーム１、１の間には、車体前から順に、エンジンへの過給気を冷却するインタクーラ１１、ラジエータ１３が配置され、その後方には、シュラウド１５内にエンジンで駆動される冷却ファン１７が設けられている。また、インタクーラ１１には給排気用のホース１９、ラジエータ１３にも給排水用のホース２１がそれぞれ接続されている。
【００１９】
そして、車両の走行風はフロントグリル７から流れ込み、インタクーラ１１、およびラジエータ１３に流入して熱交換によってエンジンへの吸入空気冷却、およびエンジン冷却水を冷却して、その後、ラジエータ１３の後方に、冷却ファン１７の吸引力も加わってエンジン５に向かって流れる。このときにエンジン５に冷却空気流が衝突しその後、ラジエータ１３の前面側に巻き返して戻ってくる。この巻き返し流はエンジン５によって加熱された温風のため、再びラジエータ１３に流入すると熱交換の効率を悪化させるため、ラジエータ１３の前面側に戻らないように巻返し防止部材２５が設けられている。
【００２０】
この巻返し防止部材２５は、図４〜６に示す全体形状をしている。図４は平面視図であり、図５は正面視図、図６は側面視図である。
図５に示すように、ラジエータ１３の外周を覆うように、全体が略門形状をしており、巻返し防止本体部３１と導風部（導風部材）３３ａ、３３ｂとから構成されている。
さらに、巻返し防止本体部３１は、両側部分を形成する両側部材２７ａ、２７ｂと、上側部分を形成する上側部材２９との３部材からなっている。そして両側部材２７ａ、２７ｂの下端部であって車体前方部分には、車体前方からの走行風をラジエータ１３の外気取り入れ口３２に導く導風面を有した導風部材３３ａ、３３ｂが、側部材２７ａ、２７ｂに一体的に設けられている。
【００２１】
導風面３５は、図３または図４に示すように、直線状または曲面状に形成され走行風に対して抵抗とならずにスムーズに外気取り入れ口３２に導かれるような形状となっており、直線形状の場合には傾斜角度θは、ほぼ４５°とするのが好ましい。このθが大きいと空気流に対して抵抗となりスムーズな流入を害する。
【００２２】
また、導風部材３３ａ、３３ｂはシャシフレーム１の上面に設置されるようになっていて、導風面３５が形成された先端部分には車体前方に向かって突出して、導風部材３３ａ、３３ｂそれぞれを安定的にシャシフレーム１の上面に載置できるように載置部３７を有している。
さらに、両側部材２７ａ、２７ｂには、その高さ方向の中央部に、ラジエータ１３の側面への固定のための樹脂製の取付けブラケット３９がインサートされている。
【００２３】
また、上側部材２９は、単独で成形型によって成形され、ラジエータ１３の上面と、キャビン３の床面４の下面との間に挟み込まれるようにして取り付けられる（図１参照）。
ラジエータ１３の上面には、図５に示すクリップ取付け穴３０を介してクリップ止めされるようになっている。
【００２４】
なお、両側部材２７ａ、２７ｂ、上側部材２９、さらに、導風部材３３は、エンジンルーム内における耐熱性に優れるとともに軽量に優れる発泡ウレタン材によって成型されている。
両側部材２７ａ、２７ｂと導風部材３３ａ、３３ｂとは一体的に成型されるが、別々に成型後に接着して一体化してもよい。上側部材２９は前記のように単独で別成型され、その後、組み付けにおいて両側部材２７ａ、２７ｂの上に位置されて門形状に組み込まれる。
【００２５】
以上のように構成された、ラジエータ冷却風巻返し防止構造の冷却風巻返し防止作用について説明する。
車両の走行風はフロントグリル７から流れ込み、インタクーラ１１、およびラジエータ１３に流入して熱交換によって吸入空気、および冷却水を冷却して、その後、ラジエータ１３の後方に、冷却ファン１７の吸引力も加わってエンジン５に向かって流れる。
このとき、エンジン５に冷却空気流が衝突しその後、温風となってラジエータ１３の前面側に巻き返して戻ってくるが、ラジエータ１３の上側においては、上側部材２９がラジエータ１３の上面と、キャビン３の床面４の下面との間に挟まれて配置されるため、ラジエータ１３の前方側への巻き込みが抑制され、また、ラジエータ１３の両側においては、両側部材２７ａ、２７ｂによってラジエータ１３の前方側への巻き込みが抑制される。
【００２６】
さらに、車両の走行風は、フロントグリル７から流れ込み、図１の矢印で示すように、インタクーラ１１に流れ込むとともに、ラジエータ１３に流れ込む。このとき、シャシフレーム１の上面の位置に、導風部材３３が形成されて載置されるため、導風部材３３ａ、３３ｂの導風面３５に沿って走行風がラジエータ１３の外気取り入れ口３２に導かれ、走行風が効率的にラジエータ１３に導入される。
【００２７】
また、導風部材３３ａ、３３ｂが、シャシフレーム１の上面から上方向の近傍部分に形成され、その位置がラジエータ１３の高さ方向の中央付近に位置されているため、ラジエータ１３への走行風を効率的に導くことができる。
【００２８】
本実施形態によると、ラジエータ１３への走行風の導入を容易化するための走行風導板機能を、巻き返し風を防止する巻返し防止部材２５に一体的に設けたので、ラジエータ１３周りの部品点数を削減できるとともにラジエータ１３周りの構造をコンパクト化でき、軽量化、コスト低減できる。
【００２９】
また、巻返し防止本体部３１が両側部材２７ａ、２７ｂと上側部材２９との３部材から構成されるため、すなわち、別々に成型されるため、両側部材２７ａ、２７ｂに導風部材３３ａ、３３ｂが一体に設けられる場合であっても容易に成型でき、組み立て時に門形状に組み立てればよく、巻返し防止部材２５の製造が容易となる。
さらに、両側部材２７ａ、２７ｂと導風部材３３ａ、３３ｂとを一体で成型する場合、または両側部材２７ａ、２７ｂと導風部材３３ａ、３３ｂとを別々に成型してから接着する場合のいずれにおいても、上側部材２９とは別に成型するので、導風部材３３の導風面３５の形状自由度が増すとともに導風部材３３の製造が容易となる。
【００３０】
また、左右の両側部材２７ａ、２７ｂそれぞれには、樹脂製の取付けブラケット３９が両側部材２７ａ、２７ｂの成型と同時にインサートされるため、樹脂製の取付けブラケット３９の装着が容易であるとともに、取り付け位置の変更等への対応が容易である。
また、上側部材２９はラジエータ１３の上面と前記キャビン３の床面４の下面との間に挟み込まれて保持されるので、特別な取り付け手段を設けることなく簡単に固定でき、取り付け作業性がよい。
【産業上の利用可能性】
【００３１】
本発明によれば、ラジエータへの走行風の導入を容易化するための走行風導板機能を、ラジエータからの高温気流の巻き返し風を防止する巻返し防止構造に一体に設けることによって、ラジエータ周りの部品点数を削減できるとともにラジエータ周りの構造をコンパクト化できるので、ラジエータ冷却風巻返し防止構造への適用に際して有益である。
【図面の簡単な説明】
【００３２】
【図１】車体前方部の斜視説明図である。
【図２】図１のＡ−Ａ線の一部断面図である。
【図３】図１のＢ−Ｂ線の一部断面図である。
【図４】巻返し防止部材の平面視図である。
【図５】巻返し防止部材の正面視図である。
【図６】巻返し防止部材の側面視図である。
【図７】従来技術の説明図である。
【図８】従来技術の説明図である。
【符号の説明】
【００３３】
１                      シャシフレーム
３                      キャビン
４                      床面
５                      エンジン
７                      フロントグリル
９                      フロントバンパ
１１                    インタクーラ
１３                    ラジエータ
２５                    巻返し防止部材
２７ａ、２７ｂ          両側部材（両側部分）
２９                    上側部材（上側部分）
３１                    巻返し防止本体部
３３ａ、３３ｂ          導風部材（導風部）
３５                    導風面
３７                    載置部
３９                    樹脂製の取付けブラケット
【図１】
2010149623.tif 000003
【図２】
2010149623.tif 000004
【図３】
2010149623.tif 000005
【図４】
2010149623.tif 000006
【図５】
2010149623.tif 000007
【図６】
2010149623.tif 000008
【図７】
2010149623.tif 000009
【図８】
2010149623.tif 000010